(57)【要約】      （修正有）【課題】和風建築の持つ雰囲気を壊すことなく、洋風生活が楽しめ、メンテナンスの手間やコストを著しく低減させる畳調カーペットを提供する。【解決手段】畳に似た畳調のカーペットであって、畳のいぐさ部分に似た色彩のいぐさ調色彩部１ａと畳の縁部分に似た色彩の縁調色彩部１ｂとの双方又は一方が施された複数のカーペット１を敷き詰めてなる。【選択図】図１
0003165530.tif 000002
【実用新案登録請求の範囲】
【請求項１】
畳のいぐさ部分に似た色彩のいぐさ調色彩部と畳の縁部分に似た色彩又は模様の縁調色彩部との双方又は一方が施された複数のカーペットを敷き詰めて、畳に似た畳調のカーペットとすることを特徴とする畳調カーペット。
【請求項２】
縁調に形成された縁調部材を畳の一畳分の間隔で設置して、その間に、前記いぐさ調色彩部のみが施された前記カーペットを敷き詰めることを特徴とする請求項１に記載の畳調カーペット。
【請求項３】
前記カーペットは、前記いぐさ調色彩部が一方側に、前記縁調色彩部が他方側に施されていることを特徴とする請求項１に記載の畳調カーペット。
【請求項４】
前記カーペットは矩形状のタイルカーペットからなることを特徴とする請求項１〜３のいずれかに記載の畳調カーペット。
【請求項５】
前記カーペットは長尺なロールカーペットからなることを特徴とする請求項１〜３のいずれかに記載の畳調カーペット。
【考案の詳細な説明】
【技術分野】
【０００１】
本考案は、畳調に色彩を施したカーペットに関するものである。
【背景技術】
【０００２】
近年では、洋風生活が普及したことにより生活習慣が変化し、畳の上での日常生活が非常に難しくなってきている。
【０００３】
老人は足痛により、また、若者は洋風の生活習慣の定着によって、畳の上で正座をしたり、あぐらをかいたりすることが難しくなっている。
【０００４】
そのため、旅館、料亭、料飲店及び寺院などでは、畳の上に椅子やテーブルを置くようになっている。また、最近では外国人観光客が増加し、畳によって和風の雰囲気を守りながら、椅子やテーブルの部屋を用意しなければならない。
【０００５】
しかし、従来からある畳の上に直接椅子やテーブルを置くと、畳表の損傷が激しく、メンテナンスのコストや手間に多大な時間と経費を要しているのが現状である。
【考案の概要】
【考案が解決しようとする課題】
【０００６】
そこで、本考案が解決しようとする課題は、上記した事情に鑑みて、和風建築の持つ雰囲気を壊すことなく、洋風生活が楽しめ、メンテナンスの手間やコストを著しく低減させる畳調カーペットを提供することにある。
【課題を解決するための手段】
【０００７】
上記課題を解決するために、本発明に係る畳調カーペットは、
畳のいぐさ部分に似た色彩のいぐさ調色彩部と畳の縁部分に似た色彩又は模様の縁調色彩部との双方又は一方が施された複数のカーペットを敷き詰めて、畳に似た畳調のカーペットとする。
【０００８】
好ましくは、縁調に形成された縁調部材を畳の一畳分の間隔で設置して、その間に、いぐさ調色彩部のみが施されたカーペットを敷き詰める。
【０００９】
好ましくは、カーペットは、いぐさ調色彩部が一方側に、縁調色彩部が他方側に施されている。
【００１０】
好ましくは、カーペットは矩形状のタイルカーペットからなる。
【００１１】
好ましくは、カーペットは長尺なロールカーペットからなる。
【考案の効果】
【００１２】
上記の通り、本発明は、畳のいぐさ部分に似た色彩のいぐさ調色彩部と畳の縁部分に似た色彩の縁調色彩部との双方又は一方が施された複数のカーペットを敷き詰めて、畳に似た畳調のカーペットとする。
【００１３】
これにより、和風建築の床に畳調カーペットを敷き詰めても、和風建築の持つ雰囲気を壊すことなく、洋風生活が楽しめる。さらに、従来の畳とは異なり、畳表を定期的に取り替えるメンテナンスの手間やコストも不要となり、定期的にクリーニングするだけで長期間使用できる。そして、多くの人々が足の痛みから解放されると共に、旅館や飲食業者などはキャスター付き配膳車を使用でき、少ない従業員で配膳が可能となり、従業員の労働も著しく軽減される。
【００１４】
また、賃貸借住宅の場合、原状回復について借主と貸主との間で争いが起こっている。即ち、貸主は、賃貸借契約締結時の状態に回復することを要求する。しかし、借主は、賃料を払っているので自然損耗だと主張して、原状回復にかかる費用を払おうとしない。その結果、裁判所に持ち込まれて紛争が多発している。しかし、本考案にかかる畳調カーペット敷の部屋であれば、損傷部分のみ交換するだけで修復ができるので、原状回復に関する紛争が著しく少なくなる。
【図面の簡単な説明】
【００１５】
【図１】第一実施形態の畳調カーペットを示す平面図。
【図２】第二実施形態の畳調カーペットを示す平面図。
【図３】第三実施形態の畳調カーペットを示す平面図。
【図４】第四実施形態の畳調カーペットを示す平面図。
【考案を実施するための形態】
【００１６】
以下、図面に基づいて、本考案に係る畳調カーペットについて説明する。
【００１７】
[第一実施形態]
先ず、畳調カーペットの第一実施形態について説明する。
図１の通り、畳調カーペットは、複数の矩形状タイルカーペット１を敷き詰めてなる。
タイルカーペット１は、その表面の繊維部分に、畳のいぐさ部分に似た色彩（比較的薄い緑色など）のいぐさ調色彩部１ａと、畳の縁部分に似た色彩（比較的濃い茶色又は模様の付した縁など）の縁調色彩部１ｂとが施されている。いぐさ調色彩部１ａは、畳表のような凹凸のエンボス加工が施されていても良い。また、縁調色彩部１ｂは、家紋などの様々な模様が施されていても良い。
【００１８】
カーペット１は、幅Ｗが約４４〜４８ｃｍ、長さＬが約４９〜６５ｃｍで構成されている。いぐさ調色彩部１ａは、カーペット１の一方側に施されている。縁調色彩部１ｂは、カーペット１の他方側に施されている。縁調色彩部１ｂは、幅Ｗ１が約３ｃｍで構成されている。
【００１９】
そして、図１（ａ）の通り、長さ方向に４枚、幅方向に２枚で合計８枚のカーペット１を敷き詰めることにより、約一畳分の畳調カーペットが形成される。勿論、１枚のカーペット１の面積は、自由に設定できるので、上記よりも大きくして、図１（ｂ）の通り、例えば６枚のカーペット１で約一畳分の畳調カーペットを形成してもよい。
【００２０】
[第二実施形態]
次に、畳調カーペットの第二実施形態について説明する。なお、上記実施形態と同様の構成については説明を省略する。
図２（ａ）の通り、タイルカーペット１は、中央にいぐさ調色彩部１ａが、両側に縁調色彩部１ｂが施されている。そして、長さ方向に４枚のカーペット１を敷き詰めることにより、約一畳分の畳調カーペットが形成される。勿論、上記より大きくして、図２（ｂ）の通り、例えば３枚のカーペット１で約一畳分の畳調カーペットを形成してもよい。
【００２１】
[第三実施形態]
次に、畳調カーペットの第三実施形態について説明する。なお、上記実施形態と同様の構成については説明を省略する。
図３の通り、畳調カーペットは、長尺なロールカーペット１を敷き詰めて構成されている。ロールカーペット１は、中央にいぐさ調色彩部１ａが、両側に縁調色彩部１ｂが施されている。そして、ロールカーペット１は、約一畳分の面積で構成されている。勿論、さらに数枚分等長尺に構成することもある。
【００２２】
[第四実施形態]
次に、畳調カーペットの第四実施形態について説明する。なお、上記実施形態と同様の構成については説明を省略する。
図４の通り、畳調カーペットは、さらに長尺なロールカーペット１で構成されている。ロールカーペット１は、中央にいぐさ調色彩部１ａが、両側に縁調色彩部１ｂが施されている。そして、ロールカーペット１は、数畳分の長さで構成されている。この場合は、運搬の利便性を考慮して、カーペット１の厚みを薄くすることが好ましい。
【００２３】
[変形例]
上記した実施形態では、カーペット１は、いぐさ調色彩部１ａと縁調色彩部１ｂの双方が施されているが、いぐさ調色彩部１ａのみが施されたカーペット１と、縁調色彩部１ｂのみが施されたカーペット１とをそれぞれ準備して、それぞれを敷き詰めることで畳調カーペットを形成してもよい。
【００２４】
また、縁調に形成された木材やプラスチック材などの縁調部材を一畳分の間隔で設置して、その間に、いぐさ調色彩部１ａのみが施されたカーペット１を敷設して畳調カーペットを形成してもよい。
【符号の説明】
【００２５】
１  カーペット
１ａ  いぐさ調色彩部
１ｂ  縁調色彩部
【図１】
0003165530.tif 000003
【図２】
0003165530.tif 000004
【図３】
0003165530.tif 000005
【図４】
0003165530.tif 000006